(57)【要約】【課題】扉に確実に固定されて、冷蔵庫の運搬時等における扉のハンドルの損傷を防止する保護部材を提供する。【解決手段】保護部材５は、２つの柱部５１Ａ，５１Ｂと突起部５２と連結部５３Ａ，５３Ｂとを有する。この２つの柱部５１Ａ，５１Ｂは、この一端側において、第１の扉１のハンドルとしての取手部１３，１３の左右両側面を挟持しつつ、各突起部５２は、取手部１３，１３の手掛かり部１３ａ，１３ａに、係止する。【選択図】図３Ａ
2010241452.tif 000002
【特許請求の範囲】
【請求項１】
互いに平行に対向して並べられた２つの柱部と、
一方の上記柱部の一端側に他方の上記柱部側へ突出するように設けられると共に、他方の上記柱部の一端側に一方の上記柱部側へ突出するように設けられている突起部と、
上記一方の柱部の他端側と上記他方の柱部の他端側とを連結する連結部と
を備え、
上記２つの柱部は、この一端側において、扉のハンドルの左右両側面を挟持しつつ、上記各突起部は、上記ハンドルの左右両側面のそれぞれに左右外側に開口するように設けられた手掛かり部に、係止して、上記ハンドルを保護することを特徴とする扉ハンドルの保護部材。
【請求項２】
請求項１に記載の扉ハンドルの保護部材において、
上記扉は、互いに左右に観音開きする第１の扉部および第２の扉部を有し、
上記第１の扉部および上記第２の扉部は、互いに対向する側に、取手部を有し、
上記第１の扉部の上記取手部は、上記第２の扉部と反対側に開口する上記手掛かり部を有し、
上記第２の扉部の上記取手部は、上記第１の扉部と反対側に開口する上記手掛かり部を有し、
上記第１の扉部の上記取手部と上記第２の扉部の上記取手部とは、上記ハンドルを構成することを特徴とする扉ハンドルの保護部材。
【請求項３】
請求項１または２に記載の扉ハンドルの保護部材において、
上記連結部は、上記突起部側へ突出する凸部を有し、
この凸部は、他の扉のハンドルに前方に開口するように設けられた手掛かり部に、係止して、上記他の扉のハンドルを保護することを特徴とする扉ハンドルの保護部材。
【請求項４】
請求項３に記載の扉ハンドルの保護部材において、
上記他の扉は、前方に引き出し自在に形成されていることを特徴とする扉ハンドルの保護部材。
【請求項５】
請求項１または２に記載の扉ハンドルの保護部材において、
上記連結部は、上記扉の前面の一部を覆うことを特徴とする扉ハンドルの保護部材。
【発明の詳細な説明】
【技術分野】
【０００１】
この発明は、例えば、（冷蔵庫または電子レンジ等の）電気製品や（タンスまたは棚等の）家具等の箱状物体の扉のハンドルを保護する保護部材に関する。
【背景技術】
【０００２】
従来、冷蔵庫の扉の外面を、ほぼ一定の空間部をもって覆う包装容器において、この空間部に、扉のハンドルを保護する保護部材が配置されていた（特開２００３−７２８４９号公報：特許文献１参照）。
【０００３】
この保護部材は、断面略三角形に組み立てられ、上記保護部材の一辺が上記扉の外面と当接し、上記保護部材の上記一辺に対向する頂点が、上記包装容器と当接することで、外部からの衝撃に対して上記扉のハンドルを保護していた。
【０００４】
具体的に述べると、上記保護部材は、扉固定部を有し、上記扉は、前方に突出したハンドルを有し、上記保護部材の上記扉固定部を上記扉の上記ハンドルに上方から引っ掛けることで、上記保護部材を上記扉に取り付けていた。
【先行技術文献】
【特許文献】
【０００５】
【特許文献１】特開２００３−７２８４９号公報
【発明の概要】
【発明が解決しようとする課題】
【０００６】
しかしながら、上記従来の保護部材では、上記保護部材は、上記ハンドルに上方から引っ掛けられて、上記扉に取り付けられていただけなので、上記保護部材に上向きの力がかかった場合、上記保護部材が上記ハンドルから容易に離脱する欠点があった。このため、例えば、冷蔵庫の運搬時に、上記保護部材が冷蔵庫から離脱して、扉のハンドルが損傷するおそれがあった。
【０００７】
そこで、この発明の課題は、扉に確実に固定されて、冷蔵庫の運搬時等における扉のハンドルの損傷を防止する保護部材を提供することにある。
【課題を解決するための手段】
【０００８】
上記課題を解決するため、この発明の扉ハンドルの保護部材は、
互いに平行に対向して並べられた２つの柱部と、
一方の上記柱部の一端側に他方の上記柱部側へ突出するように設けられると共に、他方の上記柱部の一端側に一方の上記柱部側へ突出するように設けられている突起部と、
上記一方の柱部の他端側と上記他方の柱部の他端側とを連結する連結部と
を備え、
上記２つの柱部は、この一端側において、扉のハンドルの左右両側面を挟持しつつ、上記各突起部は、上記ハンドルの左右両側面のそれぞれに左右外側に開口するように設けられた手掛かり部に、係止して、上記ハンドルを保護することを特徴としている。
【０００９】
ここで、左右方向とは、上記扉を有する（冷蔵庫等の）箱状物体の使用時において、上記扉側からみた左右方向をいう。
【００１０】
この発明の扉ハンドルの保護部材によれば、上記２つの柱部と上記突起部と上記連結部とを備え、上記２つの柱部は、この一端側において、上記扉のハンドルの左右両側面を挟持しつつ、上記各突起部は、上記ハンドルの上記手掛かり部に、係止して、上記ハンドルを保護するので、上記保護部材は、上記扉のハンドルに、確実に固定される。
【００１１】
したがって、例えば、上記保護部材を冷蔵庫の扉に取り付けて、冷蔵庫を運搬する時に、上記保護部材に上向きの力がかかっても、上記保護部材が冷蔵庫から離脱することを防ぐことができて、扉のハンドルの損傷を防止することができる。また、上記保護部材を、仮止めテープにて、扉に固定する必要がなくて、仮止めテープは、不要になる。
【００１２】
また、一実施形態の扉ハンドルの保護部材では、
上記扉は、互いに左右に観音開きする第１の扉部および第２の扉部を有し、
上記第１の扉部および上記第２の扉部は、互いに対向する側に、取手部を有し、
上記第１の扉部の上記取手部は、上記第２の扉部と反対側に開口する上記手掛かり部を有し、
上記第２の扉部の上記取手部は、上記第１の扉部と反対側に開口する上記手掛かり部を有し、
上記第１の扉部の上記取手部と上記第２の扉部の上記取手部とは、上記ハンドルを構成する。
【００１３】
この実施形態の扉ハンドルの保護部材によれば、上記扉は、観音開き式であり、上記ハンドルの左右両側面は、この左右外側から、上記２つの柱部に挟持され、上記ハンドルの上記手掛かり部は、この左右外側から、上記突起部に係止されて、上記扉が開かないように、上記扉をロックして、上記扉の閉状態を保持できる。同時に、上記手掛かり部への手の不意の挿入を防止して、不意の手の掛かりによる扉の開を防止できる。
【００１４】
また、一実施形態の扉ハンドルの保護部材では、
上記連結部は、上記突起部側へ突出する凸部を有し、
この凸部は、他の扉のハンドルに前方に開口するように設けられた手掛かり部に、係止して、上記他の扉のハンドルを保護する。
【００１５】
ここで、前方とは、上記箱状物体の使用時において、上記扉側の方向をいう。
【００１６】
この実施形態の扉ハンドルの保護部材によれば、上記連結部の上記凸部は、上記他の扉のハンドルの手掛かり部に、係止して、上記他の扉のハンドルを保護するので、上記保護部材を上記扉のハンドルおよび上記他の扉のハンドルに一層強固に固定できる。
【００１７】
また、一実施形態の扉ハンドルの保護部材では、上記他の扉は、前方に引き出し自在に形成されている。
【００１８】
この実施形態の扉ハンドルの保護部材によれば、上記他の扉は、引き出し式であり、上記他の扉のハンドルの手掛かり部は、この前方から、上記連結部の上記凸部に係止されて、上記扉が開かないように、上記扉をロックして、上記扉の閉状態を保持できる。同時に、上記手掛かり部への手の不意の挿入を防止して、不意の手の掛かりによる扉の開を防止できる。
【００１９】
また、一実施形態の扉ハンドルの保護部材では、上記連結部は、上記扉の前面の一部を覆う。
【００２０】
この実施形態の扉ハンドルの保護部材によれば、上記連結部は、上記扉の前面の一部を覆うので、上記連結部により、上記扉の前面を保護できる。
【発明の効果】
【００２１】
この発明の扉ハンドルの保護部材によれば、上記２つの柱部と上記突起部と上記連結部とを備え、上記２つの柱部は、この一端側において、上記扉のハンドルの左右両側面を挟持しつつ、上記各突起部は、上記ハンドルの上記手掛かり部に、係止して、上記ハンドルを保護するので、扉に確実に固定されて、冷蔵庫の運搬時等における扉のハンドルの損傷を防止する。
【図面の簡単な説明】
【００２２】
【図１Ａ】本発明の扉ハンドルの保護部材の第１実施形態を示す正面図である。
【図１Ｂ】扉ハンドルの保護部材の側面図である。
【図２Ａ】冷蔵庫の斜視図である。
【図２Ｂ】冷蔵庫の側面図である。
【図３Ａ】保護部材を冷蔵庫に取り付けた状態を示す正面図である。
【図３Ｂ】保護部材を冷蔵庫に取り付けた状態を示す側面図である。
【図４】保護部材を冷蔵庫に取り付ける状態を説明する説明図である。
【図５】保護部材を冷蔵庫に取り付ける状態を説明する説明図である。
【図６】本発明の扉ハンドルの保護部材の第２実施形態を示す正面図である。
【発明を実施するための形態】
【００２３】
以下、この発明を図示の実施の形態により詳細に説明する。
【００２４】
（第１の実施形態）
図１Ａは、この発明の扉ハンドルの保護部材の一実施形態である正面図を示している。図１Ｂは、扉ハンドルの保護部材の右側からみた側面図を示している。ここで、図１Ａの紙面の左右を左右方向といい、図１Ａの紙面の手前側を前側といい、図１Ａの紙面の奥側を後側という。
【００２５】
図１Ａと図１Ｂに示すように、上記保護部材５は、例えば、弾性を有する発泡スチロール等の合成樹脂の一体成型からなり、扉に取り付けられて扉のハンドルを保護する。
【００２６】
上記保護部材５は、左右に対向して並べられた２つの柱部５１Ａ，５１Ｂを有する。この左右の柱部５１Ａ，５１Ｂは、互いに平行に配置されている。
【００２７】
上記左側（一方）の柱部５１Ａの一端側には、突起部５２が設けられ、この突起部５２は、上記右側（他方）の柱部５１Ｂ側へ突出している。
【００２８】
上記右側（他方）の柱部５１Ｂの一端側には、突起部５２が設けられ、この突起部５２は、上記左側（一方）の柱部５１Ａ側へ突出している。
【００２９】
上記突起部５２は、上記柱部５１Ａ，５１Ｂの後面と面一になるように、上記柱部５１Ａ，５１Ｂの内側面に、取り付けられている。つまり、上記柱部５１Ａ，５１Ｂの一端部と上記突起部５２とは、横断面、略Ｌ字形状に形成されている。
【００３０】
上記左側の柱部５１Ａの他端側と、上記右側の柱部５１Ｂの他端側とは、連結部５３Ａ，５３Ｂにより、連結されている。
【００３１】
上記柱部５１Ａ，５１Ｂの中央部に、一方の連結部５３Ａが配置され、上記柱部５１Ａ，５１Ｂの端部に、他方の連結部５３Ｂが配置されている。
【００３２】
上記連結部５３Ａ，５３Ｂは、それぞれ、上記突起部５２側へ突出する凸部５４を有する。
【００３３】
上記連結部５３Ａ，５３Ｂは、上記凸部５４が上記柱部５１Ａ，５１Ｂの後面より後方に突出するように、傾斜している。つまり、上記柱部５１Ａ，５１Ｂと上記連結部５３Ａ，５３Ｂとは、側面視、略Ｖ字形状に形成されている。
【００３４】
図２Ａは、冷蔵庫の斜視図を示している。図２Ｂは、冷蔵庫の右側からみた側面図を示している。ここで、冷蔵庫の使用時において、扉側からみた左右を左右方向といい、扉側の方向を前方という。
【００３５】
図２Ａと図２Ｂに示すように、この冷蔵庫は、開口部を有する（箱体としての）冷蔵庫本体６と、この冷蔵庫本体６の開口部に上から下へ順に取り付けられる第１の扉１、第２の扉２、第３の扉３および第４の扉４とを有する。
【００３６】
上記第１の扉１は、冷蔵室であり、上記第２の扉２は、製氷室およびマルチルームであり、上記第３の扉３は、冷凍室であり、上記第４の扉４は、野菜室である。
【００３７】
上記第１の扉１は、観音開き式であり、互いに左右に観音開きする左側の第１の扉部１１および右側の第２の扉部１２を有する。
【００３８】
上記第１の扉部１１および上記第２の扉部１２は、互いに対向する側に、取手部１３を有する。
【００３９】
上記第１の扉部１１の上記取手部１３は、上記第２の扉部１２と反対側に開口する手掛かり部１３ａを有する。
【００４０】
上記第２の扉部１２の上記取手部１３は、上記第１の扉部１１と反対側に開口する手掛かり部１３ａを有する。
【００４１】
上記第１の扉部１１の上記取手部１３と上記第２の扉部１２の上記取手部１３とは、上記第１の扉部１１および上記第２の扉部１２を閉じた状態で、ハンドルを構成する。
【００４２】
上記第２の扉２は、観音開き式であり、左右の扉部を有する。各扉部は、互いに対向する側に、ハンドルとしての取手部を有する。各扉部は、異なる室を構成する。
【００４３】
上記第３の扉３は、引き出し式であり、前方に引き出し自在に形成されている。上記第３の扉３は、前面に、ハンドルとしての取手部３３を有する。この取手部３３は、前方に開口するように設けられた手掛かり部３３ａを有する。
【００４４】
上記第４の扉４は、引き出し式であり、前方に引き出し自在に形成されている。上記第４の扉４は、前面に、ハンドルとしての取手部４３を有する。この取手部４３は、前方に開口するように設けられた手掛かり部４３ａを有する。
【００４５】
図３Ａおよび図３Ｂは、上記冷蔵庫に上記保護部材５を取り付けた状態を示す。図３Ａは、冷蔵庫の正面図を示し、図３Ｂは、冷蔵庫の左側からみた側面図を示す。
【００４６】
上記２つの柱部５１Ａ，５１Ｂは、この一端側において、上記第１の扉１のハンドルとしての上記取手部１３，１３の左右両側面を挟持する。同時に、上記各突起部５２は、上記ハンドルの左右両側面のそれぞれに左右外側に開口するように設けられた手掛かり部１３ａ，１３ａに、係止する。
【００４７】
このとき、上記柱部５１Ａ，５１Ｂは、上記第１の扉１の前面に接触しつつ、このハンドルよりも、前方に突出している。
【００４８】
上記柱部５１Ａ，５１Ｂは、上記第２の扉２のハンドルとしての上記取手部の左右両側面を挟持し、このハンドルよりも前方に突出している。
【００４９】
上記柱部５１Ａ，５１Ｂは、上記第３の扉３のハンドルとしての上記取手部３３の左右両側面を挟持し、このハンドルよりも前方に突出している。上記中央の連結部５３Ａの凸部５４は、上記第３の扉３のハンドルの手掛かり部３３ａに、係止する。
【００５０】
上記柱部５１Ａ，５１Ｂは、上記第４の扉４のハンドルとしての上記取手部４３の左右両側面を挟持し、このハンドルよりも前方に突出している。上記端部の連結部５３Ｂの凸部５４は、上記第４の扉４のハンドルの手掛かり部４３ａに、係止する。
【００５１】
このように、上記保護部材５により、上記第１、上記第２、上記第３、上記第４の扉１，２，３，４の上記ハンドルを保護する。
【００５２】
次に、上記保護部材５を上記冷蔵庫に取り付ける方法を説明する。
【００５３】
図４に示すように、全ての上記扉１，２，３，４を閉じた状態で、上記保護部材５を、上記冷蔵庫の前方から、白抜きの矢印に示すように、上記冷蔵庫に近づけ、上記中央の連結部５３Ａの上記凸部５４を、上記第３の扉３の上記手掛かり部３３ａに係止させると共に、上記端部の連結部５３Ｂの上記凸部５４を、上記第４の扉４の上記手掛かり部４３ａに係止させる。
【００５４】
その後、図５に示すように、上記柱部５１Ａ，５１Ｂを押し広げて、上記各突起部５２を、白抜きの矢印に示すように、上記第１の扉１の上記手掛かり部１３ａに係止させ、上記柱部５１Ａ，５１Ｂを上記第１の扉１の上記ハンドル（上記取手部１３）に挟持させて、図３Ａに示すように、上記保護部材５を上記冷蔵庫に取り付ける。このとき、上記保護部材５は、３方向（上下・左右・前後方向）に確実に固定され、上記保護部材５の移動や脱落が防止される。
【００５５】
なお、上記保護部材５を上記冷蔵庫から取り外す場合、上記取り付け方法とは、逆の手順で行う。
【００５６】
上記構成の保護部材５によれば、上記２つの柱部５１Ａ，５１Ｂと上記突起部５２と上記連結部５３Ａ，５３Ｂとを備え、上記２つの柱部５１Ａ，５１Ｂは、この一端側において、上記第１の扉１のハンドルの左右両側面を挟持しつつ、上記各突起部５２は、上記ハンドルの上記手掛かり部１３ａ，１３ａに、係止して、上記ハンドルを保護するので、上記保護部材５は、上記第１の扉１のハンドルに、確実に固定される。
【００５７】
したがって、例えば、上記保護部材５を冷蔵庫の扉に取り付けて、冷蔵庫を運搬する時に、上記保護部材５に上向きの力がかかっても、上記保護部材５が冷蔵庫から離脱することを防ぐことができて、扉のハンドルの損傷を防止することができる。また、上記保護部材５を、仮止めテープにて、扉に固定する必要がなくて、仮止めテープは、不要になる。
【００５８】
また、上記構成の保護部材５は、上記２つの柱部５１Ａ，５１Ｂと上記突起部５２と上記連結部５３Ａ，５３Ｂとを有するので、保護部材５の材料費を低減できる。
【００５９】
また、上記柱部５１Ａ，５１Ｂは、上記第１の扉１のハンドルよりも前方に突出しているので、ハンドルが扉の前面から突出している場合、冷蔵庫運搬時に冷蔵庫を覆うパッキングケースと、ハンドルとの間の隙間が狭くても、パッキングケースを引き抜くときに、このケースの下端部がハンドルに接触することを防いで、ハンドルが傷付くことを防止する。
【００６０】
また、上記第１の扉１は、観音開き式であり、上記ハンドルの左右両側面は、この左右外側から、上記２つの柱部５１Ａ，５１Ｂに挟持され、上記ハンドルの上記手掛かり部１３ａ，１３ａは、この左右外側から、上記突起部５２に係止されて、上記第１の扉１が開かないように、上記第１の扉１をロックして、上記第１の扉１の閉状態を保持できる。同時に、上記手掛かり部１３ａ，１３ａへの手の不意の挿入を防止して、不意の手の掛かりによる第１の扉１の開を防止できる。
【００６１】
また、上記連結部５３Ａ，５３Ｂの上記凸部５４は、上記第３、上記第４の扉３，４のハンドルの手掛かり部３３ａ，４３ａに、係止して、上記第３、上記第４の扉３，４のハンドルを保護するので、上記保護部材５を上記第１、上記第３、上記第４の扉１，３，４のハンドルに一層強固に固定できる。
【００６２】
また、上記第３、上記第４の扉３，４は、引き出し式であり、上記第３、上記第４の扉３，４のハンドルの手掛かり部３３ａ，４３ａは、この前方から、上記連結部５３Ａ，５３Ｂの上記凸部５４に係止されて、上記第３、上記第４の扉３，４が開かないように、上記第３、上記第４の扉３，４をロックして、上記第３、上記第４の扉３，４の閉状態を保持できる。同時に、上記手掛かり部３３ａ，４３ａへの手の不意の挿入を防止して、不意の手の掛かりによる扉の開を防止できる。
【００６３】
（第２の実施形態）
図６は、この発明の扉ハンドルの保護部材の第２の実施形態を示している。図６に示すように、保護部材５Ａは、左側（一方）の柱部５１Ａと、右側（他方）の柱部５１Ｂと、２つの柱部５１Ａ，５１Ｂの他端を連結する連結部５３Ｃとを有する。なお、その他の構造は、上記第１の実施形態と同一であるので、詳細な説明を省略する。
【００６４】
上記柱部５１Ａ，５１Ｂは、第１の扉１と第２の扉２とに重なるように、延在している。上記連結部５３Ｃは、平板状に形成され、第１の扉１および第２の扉２の前面の一部を覆う。連結部５３Ｃは、第１の扉１の取手部１３の一部と、第２の扉２の取手部の一部とを、覆う。
【００６５】
したがって、第１の扉１および第２の扉２の前面の一部は、連結部５３Ｃにより、保護される。
【００６６】
なお、この発明は上述の実施形態に限定されない。例えば、突起部や連結部の数量の増減は自由である。また、上記第１の実施形態において、連結部を中央の連結部５３Ａのみとして、保護部材をＨ字形状としてもよく、また、連結部を端部の連結部５３Ｂのみとしてもよい。
【００６７】
また、上記保護部材を、冷蔵庫以外に、（電子レンジ等の）電気製品や（タンスまたは棚等の）家具等の箱状物体に取り付け、この箱状物体の扉のハンドルを保護するようにしてもよい。
【符号の説明】
【００６８】
１    第１の扉
１１  第１の扉部
１２  第２の扉部
１３  取手部
１３ａ  手掛かり部
２    第２の扉
３    第３の扉
３３  取手部
３３ａ  手掛かり部
４    第４の扉
４３  取手部
４３ａ  手掛かり部
５，５Ａ    扉ハンドルの保護部材
５１Ａ  左側（一方）の柱部
５１Ｂ  右側（他方）の柱部
５２  突起部
５３Ａ  中央の連結部
５３Ｂ  端部の連結部
５３Ｃ  連結部
５４  凸部
６    冷蔵庫本体
【図１Ａ】
2010241452.tif 000003
【図１Ｂ】
2010241452.tif 000004
【図２Ａ】
2010241452.tif 000005
【図２Ｂ】
2010241452.tif 000006
【図３Ａ】
2010241452.tif 000007
【図３Ｂ】
2010241452.tif 000008
【図４】
2010241452.tif 000009
【図５】
2010241452.tif 000010
【図６】
2010241452.tif 000011